(57)【要約】      （修正有）【課題】フェース板の最適打球領域を拡大することができるとともに、構造の強度を高めることができるゴルフクラブヘッドとそのフェース板を提供する。【解決手段】フェース板２には打球面および背面２２が相対するように含まれ、打球面と背面２２の外周縁には上端縁２３、底端縁２４および上端縁２３と底端縁２４に隣接する二個の端部２５、２５が形成され、打球面にはスイートスポットが含まれ、背面２２には縦方向リブ２２１と一個の横方向リブ２２２が設けられ、縦方向リブ２２１は上端縁２３に近接するところから底端縁２４の方向に向かって延伸するように、そしてスイートスポットを通過するように形成され、横方向リブ２２２は底端縁２４に近接するように形成され、そして横方向リブ２２２の両端はそれぞれ二個の端部２５、２５の方向に向かって延伸するように構成されている。【選択図】図１
0003165282.tif 000002
【実用新案登録請求の範囲】
【請求項１】
相対する一個の打球面（２１）および一個の背面（２２）を含むゴルフクラブヘッドのフェース板において、打球面（２１）と背面（２２）の外周縁には一個の上端縁（２３）、一個の底端縁（２４）および上端縁（２３）と底端縁（２４）に隣接する二個の端部（２５、２５）が形成され、そして打球面（２１）には一個のスイートスポット（Ｓ）が含まれ、さらに背面（２２）には一個の縦方向リブ（２２１）と一個の横方向リブ（２２２）が設けられ、縦方向リブ（２２１）は上端縁（２３）に近接するところから底端縁（２４）の方向に向かって延伸するように、そしてスイートスポット（Ｓ）を通過するように形成され、横方向リブ（２２２）は底端縁（２４）に近接するように形成され、そして横方向リブ（２２２）の両端はそれぞれ二個の端部（２５、２５）の方向に向かって延伸するように形成されることを特徴とするゴルフクラブヘッドのフェース板。
【請求項２】
縦方向リブ（２２１）は横方向リブ（２２２）の両端の間に連接され、そして縦方向リブ（２２１）には一個の境界部（２２３）が形成され、境界部（２２３）はスイートスポット（Ｓ）より低くなるように形成されることを特徴とする請求項１に記載のゴルフクラブヘッドのフェース板。
【請求項３】
背面（２２）には二個の凹部（２２４、２２４）が設けられ、二個の凹部（２２４、２２４）はそれぞれ縦方向リブ（２２１）の両側に位置し、そして上端縁（２３）に隣接するように形成されることを特徴とする請求項１または２に記載のゴルフクラブヘッドのフェース板。
【請求項４】
縦方向リブ（２２１）、横方向リブ（２２２）と二個の凹部（２２４、２２４）の周縁には全て緩坂ゾーン（２２５）が形成され、緩坂ゾーン（２２５）は縦方向リブ（２２１）、横方向リブ（２２２）および二個の凹部（２２４、２２４）の周縁から背面（２２）まで連接するように形成され、縦方向リブ（２２１）と横方向リブ（２２２）の周縁の緩坂ゾーン（２２５）の肉厚は外へ向かって逓減し、そして二個の凹部（２２４、２２４）の周縁の緩坂ゾーン（２２５）の肉厚は外へ向かって逓増するように形成されることを特徴とする請求項３に記載のゴルフクラブヘッドのフェース板。
【請求項５】
一個の本体（１）および一個のフェース板（２）を含むゴルフクラブヘッドにおいて、本体（１）には一個のホーゼル（１１）、一個の開口（１２）、相対する一個のクラウン部（１３）と一個のソール部（１４）および相対する一個のトー部（１５）と一個のヒール部（１６）が含まれ、フェース板（２）は開口（１２）に結合され、フェース板（２）には一個の打球面（２１）および一個の背面（２２）が相対するように含まれ、打球面（２１）には一個のスイートスポット（Ｓ）が含まれ、背面（２２）には一個の縦方向リブ（２２１）と一個の横方向リブ（２２２）が設けられ、縦方向リブ（２２１）はクラウン部（１３）に近接するところからソール部（１４）の方向に向かって延伸するように、そしてスイートスポット（Ｓ）を通過するように形成され、横方向リブ（２２２）はソール部（１４）に近接するように形成され、そして横方向リブ（２２２）の両端はそれぞれトー部（１５）とヒール部（１６）の方向に向かって延伸するように形成されることを特徴とするゴルフクラブヘッド。
【請求項６】
縦方向リブ（２２１）は横方向リブ（２２２）の両端の間に連接され、そして縦方向リブ（２２１）には一個の境界部（２２３）が形成され、境界部（２２３）はスイートスポット（Ｓ）より低くなるように形成されることを特徴とする請求項５に記載のゴルフクラブヘッド。
【請求項７】
背面（２２）には二個の凹部（２２４、２２４）が設けられ、二個の凹部（２２４、２２４）はそれぞれ縦方向リブ（２２１）の両側に位置し、そしてクラウン部（１３）に近接するように形成されることを特徴とする請求項５または６に記載のゴルフクラブヘッド。
【請求項８】
縦方向リブ（２２１）、横方向リブ（２２２）と二個の凹部（２２４、２２４）の周縁には全て緩坂ゾーン（２２５）が形成され、緩坂ゾーン（２２５）は縦方向リブ（２２１）、横方向リブ（２２２）および二個の凹部（２２４、２２４）の周縁から背面（２２）まで連接するように形成され、縦方向リブ（２２１）と横方向リブ（２２２）の周縁の緩坂ゾーン（２２５）の肉厚は外へ向かって逓減し、そして二個の凹部（２２４、２２４）の周縁の緩坂ゾーン（２２５）の肉厚は外へ向かって逓増するように形成されることを特徴とする請求項７に記載のゴルフクラブヘッド。
【考案の詳細な説明】
【技術分野】
【０００１】
本考案は、ゴルフクラブヘッドとそのフェース板に関するもので、特にスイートスポット（sweet spot）を拡大することができるゴルフクラブヘッドとそのフェース板に係るものである。
【背景技術】
【０００２】
従来のゴルフクラブヘッドとそのフェース板の構造としては、例えば図４に示す日本特開２００７−１８５５０２号においては、ゴルフクラブヘッドには一個の本体８１と一個のフェース板８２が含まれる。フェース板８２は本体８１に結合され、そしてフェース板８２には一個の打球面と一個の背面が相対するように設けられる。打球面は本体８１の表面から露出し、ゴルフボールを打球するのに用いられる。背面には一個の横方向リブ８２１と複数個の縦方向リブ８２２が設けられる。それぞれの縦方向リブ８２２は全て横方向リブ８２１の両端の間に連接され、そして下へ延伸するように形成され、さらに横方向リブ８２１と縦方向リブ８２２は全てフェース板８２の下半部に設けられるようにとしたものがある。
【０００３】
上述した従来のゴルフクラブヘッドのフェース板８２には全て一個のスイートスポットＳが含まれる。それぞれのゴルフクラブヘッドのスイートスポットＳの位置はヘッドの形状または重りが違うことによって異なるもので、スイートスポットＳの周囲には一個の最適打球領域が含まれ、最適打球領域で打球したゴルフボールの飛行距離が遠く、そして飛行の方向も安定になる。
【０００４】
別の従来ののゴルフクラブヘッドとそのフェース板の構造としては、例えば図５に示す日本特開平９−１５４９８５号においては、フェース板９の背面には交差したＸ形の二個のリブ９１、９１が含まれるようにしたものがある。
【先行技術文献】
【特許文献】
【０００５】
【特許文献１】特開２００７−１８５５０２号公報
【特許文献２】特開平９−１５４９８５号公報
【考案の概要】
【考案が解決しようとする課題】
【０００６】
上述した第１の従来のゴルフクラブヘッドとそのフェース板の構造においては、フェース板８２の横方向リブ８２１と縦方向リブ８２２は全てフェース板８２の下半部に設けられ、そしてフェース板８２のスイートスポットＳを通過していないことにより、スイートスポットＳの周囲の最適打球領域を有効に拡大することができないため、ゴルフクラブヘッドの打球の安定性が悪くなるという問題点があった。
【０００７】
また、フェース板８２によってゴルフボールを打球する時、最適打球領域は外力の衝撃を受ける頻度が最も高く、そして力を受ける最大な場所であるが、従来の構造ではそのスイートスポットＳの周囲はいかなる補強の設計を有しないため、フェース板８２の構造の強度が悪く、ゴルフクラブヘッドの寿命に影響を及ぼしてしまうという問題点があった。
【０００８】
さらに、上述した第２の従来のゴルフクラブヘッドとそのフェース板の構造においては、フェース板９の構造の強度を高めることができるが、二個のリブ９１、９１の交差する部位だけがフェース板９の打球の中心に近接するものであるため、依然としてスイートスポットＳの周囲の最適打球領域を有効に拡大することができず、ゴルフクラブヘッドの打球の安定性が悪くなるという問題点があった。このように、従来のゴルフクラブヘッドとそのフェース板をさらなる改良を要するものであった。
【０００９】
本考案はこのような問題点に鑑みて考案されたものであって、その主な目的とするところは、フェース板の最適打球領域を有効に拡大することができるゴルフクラブヘッドとそのフェース板を提供することである。
【００１０】
本考案の第二の目的は、フェース板の構造の強度を高めることができるゴルフクラブヘッドとそのフェース板を提供することにある。
【課題を解決するための手段】
【００１１】
上記目的を達成するために、本考案によるゴルフクラブヘッドのフェース板は、一個の打球面および一個の背面が相対するように含まれる。打球面と背面の外周縁には一個の上端縁、一個の底端縁および上端縁と底端縁に隣接する二個の端部が形成される。そして打球面には一個のスイートスポットが含まれ、さらに背面には一個の縦方向リブと一個の横方向リブが設けられる。縦方向リブは上端縁に近接するところから底端縁の方向に向かって延伸するように、そしてスイートスポットを通過するように形成され、横方向リブは底端縁に近接するように形成され、そして横方向リブの両端はそれぞれ二個の端部の方向に向かって延伸するように形成される。
【００１２】
また、縦方向リブは横方向リブの両端の間に連接され、そして縦方向リブには一個の境界部が形成され、境界部はスイートスポットより低くなるように形成されることもできる。また、背面には二個の凹部が設けられ、二個の凹部はそれぞれ縦方向リブの両側に位置し、そして上端縁に隣接するように形成されることもできる。また、縦方向リブ、横方向リブと二個の凹部の周縁には全て緩坂ゾーンが形成され、緩坂ゾーンは縦方向リブ、横方向リブと二個の凹部の周縁から背面まで連接するように形成され、縦方向リブと横方向リブの周縁の緩坂ゾーンの肉厚は外へ向かって逓減し、そして二個の凹部の周縁の緩坂ゾーンの肉厚は外へ向かって逓増するように形成されることもできる。
【００１３】
また、本考案によるゴルフクラブヘッドは、一個の本体および一個のフェース板が含まれる。本体には一個のホーゼル、一個の開口、相対する一個のクラウン部と一個のソール部および相対する一個のトー部と一個のヒール部が含まれる。フェース板は開口に結合され、フェース板には一個の打球面および一個の背面が相対するように含まれる。打球面には一個のスイートスポットが含まれ、背面には一個の縦方向リブと一個の横方向リブが設けられる。縦方向リブはクラウン部に近接するところからソール部の方向に向かって延伸するように、そしてスイートスポットを通過するように形成され、横方向リブはソール部に近接するように形成され、そして横方向リブの両端はそれぞれトー部とヒール部の方向に向かって延伸するように形成される。
【００１４】
さらに、縦方向リブは横方向リブの両端の間に連接され、そして縦方向リブには一個の境界部が形成され、境界部はスイートスポットより低くなるように形成されることもできる。また、背面には二個の凹部が設けられ、二個の凹部はそれぞれ縦方向リブの両側に位置し、そしてクラウン部に近接するように形成されることもできる。また、縦方向リブ、横方向リブと二個の凹部の周縁には全て緩坂ゾーンが形成され、緩坂ゾーンは縦方向リブ、横方向リブと二個の凹部の周縁から背面まで連接するように形成され、縦方向リブと横方向リブの周縁の緩坂ゾーンの肉厚は外へ向かって逓減し、そして二個の凹部の周縁の緩坂ゾーンの肉厚は外へ向かって逓増するように形成されることもできる。
【考案の効果】
【００１５】
本考案のゴルフクラブヘッドとそのフェース板によれば、フェース板のスイートスポットを有効に拡大することができるという利点がある。
【００１６】
本考案のゴルフクラブヘッドとそのフェース板によれば、フェース板の構造の強度を高めることができるという利点がある。
【図面の簡単な説明】
【００１７】
【図１】図１は、本考案の実施例のフェース板がゴルフクラブヘッドに適用された状態の分解斜視図である。
【図２】図２は、本考案の実施例のフェース板がゴルフクラブヘッドに適用された状態の外観正面図である。
【図３】図３は、本考案の実施例のフェース板がゴルフクラブヘッドに適用された組立て状態の断面図である。
【図４】図４は、従来のフェース板がゴルフクラブヘッドに適用された組立て状態の断面図である。
【図５】図５は、別の従来のフェース板の正面図である。
【考案を実施するための形態】
【００１８】
本考案の実施の形態について、以下、図面を参照して説明する。
【００１９】
本考案で称されている重心Ｇはゴルフクラブヘッドのそれぞれの部位が受ける重力の合力の作用点、すなわちゴルフクラブヘッドの総重量の集中点を指す（図３参照）。
【００２０】
本考案で称されているスイートスポットＳ（sweet spot）は重心Ｇがゴルフクラブヘッドのフェースにおける垂直の投影点を指し、そして同じ打球条件においてスイートスポットＳが打球したゴルフボールは最大の飛行距離Ｈを有する。
【００２１】
本考案で称されている最適打球領域ＺはフェースにおけるスイートスポットＳの周囲のゾーンを指し、そして最適打球領域Ｚの範囲と大きさはゴルフクラブヘッドの形状または重りが違うことによって異なるものである。一般として同じ打球の条件で最適打球領域Ｚの内のいかなる一点で打球したゴルフボールの飛行距離は最大飛行距離Ｈの約９５％以上であり、そして最適打球領域ＺとスイートスポットＳが打球したゴルフボールの落下点の偏差距離は最大飛行距離Ｈの５％より小さい。
【００２２】
図１は本考案の実施例のフェース板がゴルフクラブヘッドに適用された状態の分解斜視図で、図２は本考案の実施例のフェース板がゴルフクラブヘッドに適用された状態の外観正面図である。図１、２を参照すると、本考案のゴルフクラブヘッドには一個の本体１と一個のフェース板２が含まれ、そしてフェース板２は本体１に結合されてゴルフクラブヘッドを構成することができる。
【００２３】
本体１には一個のホーゼル１１と一個の開口１２が含まれ、ホーゼル１１はシャフトと結合するのに用いられる。本体１には他に相対する一個のクラウン部１３と一個のソール部１４および相対する一個のトー部１５と一個のヒール部１６が含まれる。その内に、ヒール部１６はホーゼル１１に近接するように形成される。クラウン部１３、ソール部１４、トー部１５およびヒール部１６はゴルフクラブヘッドの通用の部位であるため、ここでは詳述しない。
【００２４】
フェース板２は本体１の開口１２に結合して固定され、そしてフェース板２には相対する一個の打球面２１と一個の背面２２が含まれる。打球面２１と背面２２の間の外周縁には一個の上端縁２３、一個の底端縁２４と二個の端部２５、２５が形成され、そして二個の端部２５、２５は上端縁２３と底端縁２４に隣接するように形成される。フェース板２が開口１２に結合される時、フェース板２の上端縁２３は本体１のクラウン部１３に近接し、底端縁２４はソール部１４に近接し、そして二個の端部２５、２５はそれぞれトー部１５とヒール部１６に近接するように形成される。さらに打球面２１は本体１の表面から露出し、打球面２１はゴルフボールを打球するのに用いられる。
【００２５】
図３は本考案の実施例のフェース板がゴルフクラブヘッドに適用された組立て状態の断面図である。図１、２、３を参照すると、フェース板２の背面２２には一個の縦方向リブ２２１と一個の横方向リブ２２２が設けられる。縦方向リブ２２１は上端縁２３に近接するところから底端縁２４の方向に向かって延伸するように、そしてスイートスポットＳを通過するように形成されることにより、スイートスポットＳの周囲の最適打球領域Ｚを拡大するとともに、フェース板２の構造の強度を高めることができる。
【００２６】
縦方向リブ２２１は好ましくは上端縁２２に隣接し、縦方向リブ２２１が上端縁２３に隣接する一端の幅は比較的狭く、そしてもう一方の一端に向かって逓増するように形成される。横方向リブ２２２は底端縁２４に近接するように形成され、そして横方向リブ２２２の両端はそれぞれ二個の端部２５、２５の方向に向かって延伸するように形成されることにより、ゴルフクラブヘッドの重心を低く下げることができる。横方向リブ２２２は好ましくは円弧形からなり、そして最適打球領域Ｚの周縁に沿って延伸するように形成される。縦方向リブ２２１は横方向リブ２２２の両端の間に連接され、そして縦方向リブ２２１には一個の境界部２２３が形成され、境界部２２３はスイートスポットＳより低くなるように形成されることにより、最適打球領域Ｚをさらに拡大することができる。
【００２７】
その他に、フェース板２の背面２２には他に二個の凹部２２４、２２４が設けられ、二個の凹部２２４、２２４はそれぞれ縦方向リブ２２１の両側に位置し、上端縁２３に隣接するように形成される。二個の凹部２２４、２２４の肉厚が比較的薄く形成されるため、ゴルフクラブヘッドの重心を低く下げることができる。
【００２８】
縦方向リブ２２１、横方向リブ２２２と二個の凹部２２４、２２４の周縁には全て緩坂ゾーン２２５が形成される。緩坂ゾーン２２５は縦方向リブ２２１、横方向リブ２２２と二個の凹部２２４、２２４の周縁から背面２２まで連接するように形成される。縦方向リブ２２１と横方向リブ２２２の周縁の緩坂ゾーン２２５の肉厚は外へ向かって逓減し、そして好ましくは直線状に逓減するように形成されることにより、さらに二個の凹部２２４、２２４の周縁の緩坂ゾーン２２５の肉厚は外へ向かって逓増し、そして好ましくは直線状に逓増するように形成されることにより、フェース板２に応力の集中が生じるのを減らすことができるとともに、フェース板２が打球時において破損されるのを避けることができる。
【００２９】
上述したように、本考案のフェース板２の縦方向リブ２２１はスイートスポットＳを通過し、そして横方向リブ２２２の両端は最適打球領域Ｚの周縁に沿って二個の端部２５、２５の方向に向かって延伸するように形成されることにより、スイートスポットＳの周囲の最適打球領域Ｚを拡大することができるため、ゴルフクラブヘッドの打球の安定性を有効に高めることができる。
【００３０】
さらに、フェース板２の縦方向リブ２２１と横方向リブ２２２は主に最適打球領域Ｚの範囲内に分布されることにより、フェース板１の構造の強度を高めることができるため、ゴルフクラブヘッドの使用寿命を高めることができる。
【００３１】
本考案は、その精神とび必須の特徴事項から逸脱することなく他のやり方で実施することができる。従って、本明細書に記載した好ましい実施例は例示的なものであり、限定的なものではない。
【符号の説明】
【００３２】
１    本体
１１    ホーゼル
１２    開口
１３    クラウン部
１４    ソール部
１５    トー部
１６    ヒール部
２    フェース板
２１    打球面
２２    背面
２２１    縦方向リブ
２２２    横方向リブ
２２３    境界部
２２４    凹部
２２５    緩坂ゾーン
２３    上端縁
２４    底端縁
２５    端部
８１    本体
８２    フェース板
８２１    横方向リブ
８２２    縦方向リブ
９    フェース板
９１    リブ
Ｇ    重心
Ｓ    スイートスポット
Ｚ    最適打球領域
Ｈ    最大飛行距離
【図１】
0003165282.tif 000003
【図２】
0003165282.tif 000004
【図３】
0003165282.tif 000005
【図４】
0003165282.tif 000006
【図５】
0003165282.tif 000007